(57)【要約】【課題】頭皮及び頭髪を効果的に清浄化するとともに高い育毛効果を得ることができる装置を提供する。【解決手段】へアブラシ装置１には、偏心モータ２３や放電管２５等が設けられている。偏心モータ２３は、ブラシ群８を例えば８０〜１００Ｈｚの振動周波数で振動させる。また、放電管２５には高電圧が印加され、ブラシ群８の周辺にオゾン（Ｏ３）及びマイナスイオンが生成される。したがって、振動状態のブラシ群８でブラッシング等を行うことにより、振動作用にてたたき出された汚れ物質をオゾンにより効果的に除去する効果と、清浄化された頭皮又は頭髪に振動を付与しつつマイナスイオンを浸透させる効果と、頭皮が振動で刺激されることによるマッサージ効果との相乗効果により好適な育毛処理を施すことができる。【選択図】      図１
2005046190.tif 000002
【特許請求の範囲】
【請求項１】
筐体に突設された接触子と、
前記筐体上の前記接触子を振動させる接触子振動機構と、
前記接触子振動機構にて振動させた前記接触子の周辺にマイナスイオン及びオゾンを供給する供給手段と
を具備することを特徴とするトリートメント装置。
【請求項２】
前記接触子が、ブラシであることを特徴とする請求項１記載のトリートメント装置。
【請求項３】
前記供給手段が、
放電管と、
前記放電管に電圧を印加する電圧印加手段と
を備えることを特徴とする請求項１又は２記載のトリートメント装置。
【請求項４】
前記筐体が、把持部を有するケーシング本体と、前記接触子が直接的に突設された接触子支持体とを備え、
前記ケーシング本体に対し前記接触子支持体を着脱自在に装着するための着脱機構をさらに具備することを特徴とする請求項１ないし３いずれか１項に記載のトリートメント装置。
【請求項５】
前記筐体の姿勢を折畳状態と非折畳状態とに変形させるための折畳機構と、
前記折畳機構を通じての前記筐体の前記折畳状態と前記非折畳状態との変形に連動して、前記接触子振動機構又は前記供給手段のうちの少なくとも一方を作動又は停止させる連動機構と
をさらに具備することを特徴とする請求項１ないし４いずれか１項に記載のトリートメント装置。
【請求項６】
前記放電管の放電動作に連動して前記接触子の基端部側で光を発光する光源をさらに備え、
前記接触子は、透光性を有する材料で成形されているとともに該接触子の基端部側から先端部側に向けて穿孔された導光孔を備えることを特徴とする請求項１ないし５いずれか１項に記載のトリートメント装置。
【請求項７】
前記接触子は、先端に球面部を設けて円柱状に形成され、前記球面部を除く部位の最小径が、少なくとも５ｍｍ以上であることを特徴とする請求項１ないし６いずれか１項に記載のトリートメント装置。
【発明の詳細な説明】
【０００１】
【発明の属する技術分野】
本発明は、例えば手足、肩等のボディ用マッサージや育毛等のトリートメントを行えるトリートメント装置に関する。
【０００２】
【従来の技術】
従来、ヘアブラシでは、そのブラシ部分をブラッシングの際に振動させることにより、頭髪の育毛処理を効果的に行える構成のものが知られている（例えば、特許文献１参照）。
【０００３】
すなわち、このヘアブラシは、ブラシが植設された筐体の内部にモータを配置し、このモータを用いてブラッシングの際にブラシ部分を振動させることで、頭皮を刺激して血流を促進し育毛処理を施すものである。
【０００４】
【特許文献１】
特開平１０−３２７９３６号公報（第２頁，図１）
【０００５】
【発明が解決しようとする課題】
しかしながら、上記特許文献に例示されるブラシ振動型のヘアブラシにおいては、振動で頭皮を刺激して得られる育毛効果が十分であるとは言えず、育毛効果の改善が求められている。
【０００６】
さらに、上記特許文献のヘアブラシは、その振動効果により頭皮から垢、塵埃等をたたき出すことができるものの、このたたき出された汚れ物質を除去することにつていは何ら配慮がなされておらず、頭皮の清浄化の点で課題を残している。
【０００７】
また、このような用途で使用される装置において、育毛用の装置としてのみならず、例えば肩こりや筋肉痛等をほぐすことができ、さらには、手足、肩、顔、首筋等のボディ部分に例えば美肌等のトリートメントを施すことの可能な新たなトリートメント装置の開発が要望されている。
【０００８】
そこで本発明は、上記課題を解決するためになされたもので、頭皮及び頭髪の高い清浄化作用や優れた育毛効果を期待できるとともに、ボディ用のマッサージ機能をも効果的に得ることができるトリートメント装置の提供を目的とする。
【０００９】
【課題を解決するための手段】
上記目的を達成するために、本発明に係るトリートメント装置は、筐体に突設された接触子と、前記筐体上の前記接触子を振動させる接触子振動機構と、前記接触子振動機構にて振動させた前記接触子の周辺にマイナスイオン及びオゾンを供給する供給手段とを具備することを特徴とする。
【００１０】
すなわち、本発明のトリートメント装置では、振動している接触子を頭皮へ押し当てること等により、頭皮の毛穴等に詰まった古い角質や皮脂等の汚れ物質を内部からたたき出せるとともに、たたき出した汚れ物質やその臭い成分をブラシの周辺に生成されたオゾンによって分解し頭皮の清浄化を図ることができる。また、本発明のトリートメント装置では、上述したように汚れ物質を除去しつつ、接触子の周辺に生成されたマイナスイオンを、接触子の振動効果により毛髪の内部や頭皮に浸透させることができるので、毛髪等の活性化が図られ、好適な育毛処理を施すことができる。
【００１１】
したがって、本発明のトリートメント装置によれば、接触子の振動作用にてたたき出された汚れ物質を、放電管外部に生成されたオゾンにより効果的に除去する清浄効果と、この清浄化された頭皮又は頭髪に振動を付与しつつマイナスイオンを浸透させることによる毛髪の代謝機能の促進効果と、頭皮、つまり頭髪の毛根部分が振動で刺激されることによるマッサージ効果との相乗効果により優れた育毛効果を得ることができる。
【００１２】
さらに、本発明のトリートメント装置では、振動が付与され且つマイナスイオンがその周辺に供給される上記接触子を、筋肉疲労等が生じている手足や肩、腰等に押圧することで、この身体部分にマイナスイオンが浸透することによる細胞組織の活性化作用と、この筋肉疲労部分等が振動で刺激されることによるマッサージ効果とにより、例えば肩こりや筋肉痛等を効果的に取り除く（ほぐす）ことができる。さらに、本発明では、例えば痩身効果のあるツボ（経絡）に上記接触子を押当てることで、痩身トリートメントを行うこと等も可能である。また、本発明では、当該接触子を、美肌対象の手足、首筋、顔等に接触させることで、振動により肌面内部からたたき出した汚れ物質を接触子の周辺に生成されたオゾンの殺菌作用によって分解し、これにより得られる肌面の清浄化作用と、肌面を振動によりマッサージすることによる血行の促進作用等とにより、好適な美肌処理を行うことができる。
【００１３】
したがって、本発明によれば、頭皮及び頭髪における高い清浄化作用や優れた育毛効果を期待できるとともに、ボディ用のマッサージ機能をも効果的に得ることができるトリートメント装置を提供することができる。
【００１４】
また、本発明においては、上記接触子をブラシで構成することで、例えば頭髪をブラッシングしつつ上述した育毛処理を施すことができ、これにより、頭部全体を満遍なくしかも効率的にトリートメントすることができる。
【００１５】
ここで、本発明のトリートメント装置においては、頭皮から汚れ物質をたたき出す効果やマッサージ効果等を考慮した場合、上述した接触子振動機構が発生させる振動周波数は、８０〜１００Ｈｚの範囲内にあることが好ましい。また、接触子の周辺にマイナスイオン及びオゾンを生成する構成としては、例えば前記接触子の周辺に紫外線が発生するように、接触子が突設された筐体部分に放電管を配置し、この放電管の電極に高電圧を印加する回路を設けること等が例示される。
【００１６】
また、本発明のトリートメント装置の前記筐体を、前記筐体が、把持部を有するケーシング本体と、前記接触子が直接的に突設された接触子支持体とで構成し、さらに、このケーシング本体に対して接触子支持体を着脱自在に接合させる着脱機構を設けてもよい。このような構造を採用することで、例えば育毛トリートメントにおいて育毛剤の供給等により汚れてしまった接触子を洗浄することが可能となる。したがって、この構造を採るトリートメント装置によれば、常に清浄な状態の接触子で、筋肉疲労部分等のマーサージや育毛処理を効果的に行うことができる。
【００１７】
また、本発明のトリートメント装置において、前記筐体の姿勢を折畳状態と非折畳状態とに変形させるための折畳機構と、前記折畳機構を通じての前記筐体の前記折畳状態と前記非折畳状態との変形に連動して、前記接触子振動機構又は前記供給手段のうちの少なくとも一方を作動又は停止させる連動機構とを追加してもよい。この場合、トリートメント装置本体が折り畳まれた折畳状態（例えば可搬態様）から、本体を把持して所望のトリートメントを行う非折畳状態（操作態様）に本体の姿勢を変形させると同時に、接触子の振動作用や、マイナスイオン及びオゾンの生成による殺菌作用、細胞組織の活性化作用等を直ちに得ることができ、装置の操作性を向上させることができる。
【００１８】
また、本発明においては、前記放電管の放電動作に連動して前記接触子の基端部側で光を発光する光源を追加し、さらに、透光性を有する材料で上記接触子を成形するとともに該接触子の基端部側から先端部側に向けて導光孔を穿孔したトリートメント装置を構成することもできる。この場合、放電管が放電していること、つまり接触子の周辺にマイナスイオン及びオゾンが供給されていることをユーザが視覚的に把握しつつトリートメントを行うことができる。
【００１９】
さらに、本発明において、ボディ用のマッサージ機能を効果的に得るための接触子は、次のような構造であることが望ましい。すなわち、この場合の接触子の構造としては、先端に球面部を設けて円柱状に形成され、且つ前記球面部を除く部位の最小径が、少なくとも５ｍｍ以上であること等が例示される。これにより、接触子の先端部からマッサージ対象のボディ部分に振動が好適に伝達され、筋肉疲労等を効果的に取り除くことができる。
【００２０】
【発明の実施の形態】
以下、本発明の実施の形態を図面に基づき説明する。
（第１の実施形態）
この実施形態では、本発明のトリートメント装置をヘアブラシ装置として適用した場合について図１ないし図４を参照しつつその説明を行う。ここで、図１は、第１の実施形態に係るヘアブラシ装置の操作態様を示す斜視図、図２は、このヘアブラシ装置が折り畳まれた可搬態様を示す斜視図、図３は、このヘアブラシ装置から着脱ブラシユニット及び電池蓋を取り外した状態を示す分解斜視図、図４は、このヘアブラシ装置の制御系を示す機能ブロック図である。
【００２１】
図１及び図２に示すように、ヘアブラシ装置１は、折畳式のヘアブラシであって、その外郭が筐体２によって形成されている。筐体２は、折畳機構３を通じて互いが連結された第１ケーシング５及び第２ケーシング６を備えるケーシング本体７と、接触子としてのブラシ群８が直接的に植設されたブラシ支持体９とから構成されている。ケーシング本体７の第１ケーシング５には、ブラシ群８を支持する上記ブラシ支持体９が接触子支持体として設けられている。一方、第２ケーシング６には、その表面に鏡１０が形成された電池蓋１１が装着されている。さらに、この第２ケーシング６は、ユーザによって把持される把持部（柄部）としての機能を有している。
【００２２】
また、ブラシ群８とこれを支持するブラシ支持体９とからなる着脱ブラシユニット１２は、第１ケーシング５に対して着脱自在に構成されている。すなわち、図３に示すように、ブラシ支持体９の背面部（装着時に第１ケーシング５と対向する部位）には、例えば一対の爪部１４、１５が突設されており、この爪部１４、１５は、第１ケーシング５に設けられた一対の係合穴１６、１７とそれぞれ係合するように形成されている。すなわち、これら爪部１４、１５及び係合穴１６、１７は、ケーシング本体７に対して着脱ブラシユニット１２を着脱自在に接続する着脱機構として機能する。
【００２３】
これにより、ブラッシングで汚れてしまった着脱ブラシユニット１２をケーシング本体７から取り外し容易に洗浄することが可能となる。したがって、常に清浄な状態のブラシ群８で、ブラッシング及び後述する頭髪のトリートメントを効果的に行うことができる。ここで、爪部及び係合穴を４個や６個といった２以上の複数個設け、第１ケーシング５に対するブラシ支持体９の装着力の向上を図ってもよい。また、このような着脱機構は、ブラシ支持体９の周縁部を、例えば第１ケーシング５に形成された穴部（凹部）に圧入させるような構造であってもよい。
【００２４】
折畳機構３は、第１及び第２ケーシング５、６のそれぞれの一端部に同軸的に設けられた軸受孔１８や支持ピン１９等で実現される、いわゆるヒンジ機構によって構成されている。この折畳機構３により、ヘアブラシ装置１本体を折り畳んだかたちの可搬態様（折畳状態）と、装置本体を把持しつつブラッシングを行える操作態様（非折畳状態）とに、当該ヘアブラシ装置１の姿勢を変形させることができる。
【００２５】
ここで、ヘアブラシ装置１の折畳状態においては、第１ケーシング５の他端部に形成された爪状の係合突起２０と第２ケーシング６の他端部に形成された係止部２１とが互いロックするようになっている。ヘアブラシ装置１のこのような折畳状態では、図２に示すように、ブラシ群８の各ブラシの先端と電池蓋１１の鏡１０の表面との間に僅かに間隙を空けて対向するかたちで係合突起２０と係止部２１とがロックされる。
【００２６】
次に、本実施形態のヘアブラシ装置１が備える毛髪のトリートメントを実現するための構成について説明する。
すなわち、図１ないし図４に示すように、着脱自在な電池蓋１１を取り外した第２ケーシング６の内部には、装置本体の駆動電源として例えば単三電池等の乾電池２２が装着されている。ここで、装置本体の駆動電源として充電池を適用できるようにヘアブラシ装置１を構成してもよいし、ＡＣ（交流）電源等の電力導入回路をヘアブラシ装置１に設けてもよい。また、毛髪のトリートメントを行う際に、電池蓋１１に形成された上記鏡１０を利用して、ユーザが頭皮の汚れ状態等を把握することが可能である。
【００２７】
また、第１ケーシング５の内部には、上記乾電池２２の電力によって駆動される偏心モータ２３が固定されている。偏心モータ２３は、その出力軸に固定された偏心分銅２４の回転により、モータの本体部分から振動を発生させる。この振動は、第１ケーシング５、ブラシ支持体９を伝播され、ブラシ群８を振動させる。この振動しているブラシ群８を頭皮へ押し当てたり、またこの振動中のブラシ群８で頭髪をブラッシングすることにより、頭皮の毛穴等に詰まった古い角質や皮脂等の汚れ物質を内部からたたき出すことができる。さらに、この場合、振動しているブラシ群８によって頭皮が刺激され、これにより毛母細胞等の血流が促進して育毛処理が施される。
【００２８】
また、第１ケーシング５の内部には、円柱状に形成された放電管（オゾン管）２５が埋設されている。放電管２５では、例えば石英ガラス製の管内に低圧水銀蒸気等が封入されている。さらに、第１ケーシング５の前面に装着されるブラシ支持体９の中央部分には、長穴２６が設けられ、且つ第１ケーシング５の前面には、角穴２６ａが形成されている。これにより、角穴２６ａ及び長穴２６を通じて放電管２５の表面が装置外部に露出されている。したがって、放電管２５に高電圧が印加された場合、放電管２５の外部へ放出される紫外線の作用により放電管２５の近傍にオゾン（Ｏ３）が生成され、このオゾンが、角穴２６ａ及び長穴２６を通じてブラシ群８の周辺に実質的に供給されることになる。ここで、生成されるオゾンの濃度は、０．１ｐｐｍ未満であることは無論、フケ、かゆみ、悪臭の原因となる雑菌を除去する消臭、殺菌効果を考慮した場合、例えば０．００４ｐｐｍ〜０．０６ｐｐｍ程度であることが望ましい。また、頭皮や頭髪への好適な美容効果を得ようする場合には、例えば０．０６ｐｐｍ〜０．０９ｐｐｍ程度の濃度でオゾンが生成されることが好ましい。
【００２９】
また、上記オゾンの生成と同時に、放電管２５から放出される紫外線が空気中を通過する時にマイナスイオンが生成される。実際には、生成されたこのマイナスイオンは、空気中の水分子等と結合し安定した状態となる。詳述すると、マイナスイオンの作用で生じる微細化された水分は、効果的に毛髪に浸透及び吸収される。この際、保湿効果とミネラルイオンの働きで、毛髪の代謝機能が促進するとともに、上記マイナスイオンと結合した水分が、例えば静電気等で傷んだキューティクルを再生修復し、髪にハリ、ツヤを与え、指通りのよい、まとまりのある髪へと導くことができる。上述したブラシ群８の各毛の材料としては、マイナスイオンを効果的に生成できるように、トルマリン鉱石等を練り込んだ材料を選択してもよい。また、マイナスイオン及びオゾンの生成においては、上記放電管等を利用する装置構成に代えて、いわゆるコロナ放電方式や電子放射式を実現できる装置構成としてもよい。ここで、例えば、ヘアブラシ装置の仕様として、消臭、殺菌効果の高い装置構成が必要である場合には、多量のオゾンを生成できる本実施形態の放電管を使用した方式を選択することが望ましい。また、放電管２５の外形部周辺に生成されたマイナスイオン及びオゾンが頭髪や頭皮に効率良く供給（移送）されるように、例えば第１ケーシング５の内部にファン等の送風機構を設けてもよい。
【００３０】
このように構成されたヘアブラシ装置１では、ブラシの振動作用によって、頭皮内部からたたき出された汚れ物質やその臭い成分をブラシ群８の周辺に生成されたオゾンによって分解し頭皮の清浄化を図ることができる。また、ヘアブラシ装置１では、このように汚れ物質を除去しつつ、ブラシ群８の周辺に生成されたマイナスイオンを、ブラシの振動効果により毛髪の内部や頭皮に浸透させることができるので、毛髪等の活性化が図られ、好適な育毛処理を施すことができる。
【００３１】
さらに、ヘアブラシ装置１に内蔵された制御系２７について、図４に基づき説明を加えておく。
同図に示すように、ヘアブラシ装置１には、折畳機構３を通じてのケーシング本体７の折畳状態と非折畳状態との変形に連動して押下され、装置本体の駆動電源をＯＮ／ＯＦＦする例えばプッシュスイッチとしての始動スイッチ２８が設けられている。つまり図１に示すように、ヘアブラシ装置１の操作態様である非折畳状態では、始動スイッチ２８が例えば筐体の所定部位に押下されて電源がＯＮになり、これに伴って偏心モータ２３及び放電管２５への電力の供給が開始される。一方、図２に示すように、可搬態様である折畳状態では、例えば始動スイッチ２８が非押下状態となって電源がＯＦＦになり、これに伴って偏心モータ２３及び放電管２５への電力の供給が停止される。
【００３２】
ここで、上記始動スイッチ２８に代えて、ユーザが直接的に操作するスイッチ類を第１ケーシング５の背面（ブラシの非支持面）側等に設け、主電源のＯＮ／ＯＦＦ、偏心モータ２３の駆動、放電管２５への電圧の印加を、装置の折畳／非折畳状態をとわず、ユーザが個別に実行できるようにヘアブラシ装置１を構成してもよい。
【００３３】
制御系２７を統括的に制御する制御部２９は、ヘアブラシ装置１の全体的な制御や各種演算を実行するプロセッサ、ＲＡＭ、ＲＯＭ等を内蔵する。ＲＯＭには、実行される制御や演算のためのプログラムや各種パラメータ等のソフトウェアが格納されており、プロセッサは、このＲＯＭからソフトウェアを読み込み、命令文を解釈し、ＲＡＭのメモリ空間を用いて命令を実行する。
【００３４】
さらに、このような制御系２７には、上記偏心モータ２３及びこの偏心モータ２３を駆動制御するモータ駆動回路３０を備えた接触子振動機構としてのブラシ振動機構３１と、上記放電管２５及びこの放電管２５に高電圧を印加する高電圧発生回路３２を備える毛髪活性化機構３３とが設けられている。
【００３５】
ここで、皮脂や古い角質等を頭皮内部からたたき出す汚れ物質の除去効果や、マイナスイオンの頭皮への浸透効果を考慮した場合、モータ駆動回路３０の制御下で偏心モータ２３が発生させる振動周波数、すなわち、ブラシ群８を振動させる振動周波数は、８０〜１００Ｈｚの範囲内にあることが望ましく、さらに好適には、９０Ｈｚを最適値とした８５〜９５Ｈｚの範囲内にあることがより望ましい。
【００３６】
上記高電圧発生回路３２は、半導体やトランス等で構成され交番電流を発生する発振回路３４と、この発振回路３４が発生させた交番電流を昇圧する昇圧トランスや整流用のダイオード等を備えた昇電圧回路３５とを備えている。昇電圧回路３５は、放電管２５にて紫外線の生成及び放電現象を引き起こすことが可能となるように、例えば３００Ｖ〜４０００Ｖ程度の電圧を放電管２５の電極間に印加することができる。なお、放電管２５の電極間への印加電圧を可変できるように、電圧の調整回路を高電圧発生回路３２内に追加してもよい。
【００３７】
ここで、制御部２９は、始動スイッチ２８のＯＮが検出された場合、ブラシ振動機構３１及び毛髪活性化機構３３を共に動作させる。つまり、制御部２９及び始動スイッチ２８は、ケーシング本体７の折畳／非折畳状態の変形に連動して、ブラシ振動機構３１及び毛髪活性化機構３３を作動又は停止させる連動機構として機能する。これにより、ヘアブラシ装置１本体が折り畳まれた例えば可搬態様から、本体を把持してブラッシングを行える非折畳状態（操作態様）に本体の姿勢を変形させると同時に、ブラシの振動作用やマイナスイオン及びオゾンの生成による毛髪の活性化作用が直ちに得られ、装置の操作性の向上が図られている。
【００３８】
既述したように、本実施形態のへアブラシ装置１によれば、ブラシの振動作用にてたたき出された汚れ物質を、紫外線の発生により放電管２５外部に生成されたオゾンにより効果的に除去する効果と、この清浄化された頭皮又は頭髪に、振動を付与しつつ管内からの紫外線の放出により放電管２５外部に生成されたマイナスイオンを浸透させる効果と、頭皮（毛母細胞）が振動で刺激されることによるマッサージ効果との相乗効果により好適な育毛処理を施すことができる。
【００３９】
（第２の実施形態）
この実施形態では、本発明のトリートメント装置を、第１の実施形態の装置と構造を異にする他のヘアブラシ装置に適用した場合について図５ないし図７に基づきその説明を行う。ここで、図５は、本実施形態に係るヘアブラシ装置を示す斜視図、図６は、このヘアブラシ装置から着脱ブラシユニットを取り外した状態を示す分解斜視図、図７は、このへアブラシ装置に設けられた育毛剤の供給機構の構造の一部を示す断面図である。
【００４０】
図５及び図６に示すように、第２の実施形態に係るヘアブラシ装置４１は、その外郭が筐体４２によって形成されている。筐体４２は、ユーザによって把持される把持部（柄部）４３が設けられたケーシング本体４５と、ブラシ群４６が直接的に植設されたブラシ支持体４７とから構成されている。把持部４３は、筐体２（ケーシング本体４５）の一端部に設けられ、また、直方体状に形成されたブラシ支持体４７は、筐体４２の他端部に設けられている。ブラシ群４６とこれを支持するブラシ支持体４７とからなる着脱ブラシユニット４８は、ケーシング本体４５に対し着脱自在に構成されている。
【００４１】
すなわち、ケーシング本体４５の他端のコーナ部分には、角型の溝状に形成された穴部（凹部）４９が設けられており、穴部４９の内壁部分とブラシ支持体４７の外形部分とが嵌合する。ブラシ支持体４７は、ケーシング本体４５の他端の端面側より穴部４９を通じて矢印Ｘ１方向に挿入されるかたちで装着される。ここで、ケーシング本体４５とブラシ支持体４７との着脱機構は、特に限定されるものではなく、互いの圧入による係合であってもよいし、爪部と凹部等とを係合させるような構造であってもよい。また、穴部４９への着脱ブラシユニット４８の装着状態におけるブラシ群４６の両脇には、ブラシ群５０、５１が植設されている。この着脱ブラシユニット４８の装着状態では、ヘアブラシ装置４１の他端部の前面、つまりブラシ支持体４７におけるブラシ群４６の植設面、及びケーシング本体４５の他端部におけるブラシ群５０、５１の植設面が、ほぼ同一平面として形成される。
【００４２】
次に、本実施形態のヘアブラシ装置１に用意されたマッサージ・汚れ除去モード、及び育毛剤供給モードを実現するための構成を、図５、図６に加え、図７に基づき説明する。なお、図７は、へアブラシ装置１に設けられた育毛剤供給機構の構造の一部を示す断面図である。
【００４３】
図５及び図６に示すように、ケーシング本体４５における把持部４３の近傍には、装置本体への駆動電源の供給を開始するための電源スイッチ５２と、後述する偏心モータ５３を始動させるマッサージ・汚れ除去スイッチ５４と、前記偏心モータ５３及び後述するＤＣ（直流）ポンプ５５を共に始動させる育毛剤供給スイッチ５６とが設けられている。
【００４４】
ここで、まず汚れ除去・マッサージモードを実現するための構成について説明する。ヘアブラシ装置１の内部には、図６に示すように、装置本体の駆動電源として例えば単三電池等の乾電池５７が装着されている。ここで、装置本体の駆動電源として充電池を適用できるようにヘアブラシ装置４１を構成してもよいし、また、ＡＣ（交流）電源等の電力導入回路をヘアブラシ装置１に設けてもよい。また、ヘアブラシ装置４１の筐体であるケーシング本体４５には、上記偏心モータ５３が固定されている。偏心モータ５３は、その出力軸に固定された偏心分銅５８の回転により、モータの本体部分から振動を発生させ、この振動は、ケーシング本体４５やこのケーシング本体４５に装着されたブラシ支持体４７に伝播される。
【００４５】
これにより、ケーシング本体４５又はブラシ支持体４７に植設されたブラシ群４６、５０、５１を振動させる汚れ除去・マッサージモードが実現される。このモードで、ブラシ群４６、５０、５１を頭皮へ押して当てたり、又は、これらのブラシ群を通じてブラッシングを行うことにより、頭皮の毛穴等に詰まった古い角質や皮脂等の汚れ物質を振動効果により内部からたたき出すことができる。また、この際、振動しているブラシ群４６、５０、５１によって頭皮が刺激され、これにより毛母細胞等の血流が促進し育毛処理が施される。
【００４６】
次いで、育毛剤供給モードを実現するための構成について説明する。へアブラシ装置４１の内部には、図６及び図７に示すように、例えば液状の育毛剤を収容する育毛剤収容部５９と、育毛剤収容部５９内の育毛剤を、ブラシ群４６の先端部分から外部に放出、つまり頭皮に供給する機構とが設けられている。この育毛剤を供給する機構は、育毛剤収容部５９に導水管が接続された上記ＤＣポンプ５５と、ＤＣポンプ５５の吐水管に接続された中継管６０と、ブラシ支持体４７の内部に穴部として設けられた育毛剤導入路６１と、ブラシ群４６の個々の毛６２の内部に穴部として設けられた育毛剤放出孔６３等とを備えている。
【００４７】
ＤＣ（直流）ポンプ５５は、乾電池５７から供給される電力よって内部のロータを駆動し育毛剤収容部５９内から育毛剤を送り出す。ＤＣポンプ５５に接続された中継管６０は、その他端部が、ブラシ支持体４７内の育毛剤導入路６１に接続されている。育毛剤導入路６１は、ブラシ支持体４７の長手方向に延びるかたちで育毛剤の流路が形成されている。育毛剤放出孔６３は、育毛剤導入路６１から分岐し、ブラシ群４６の個々の毛６２の内部をその軸方向に貫通する貫通孔として設けられており、ブラシ群４６の個々の毛６２の先端に開口する。
【００４８】
したがって、ＤＣポンプ５５が駆動すると、育毛剤収容部５９内の育毛剤は、中継管６０、育毛剤導入路６１、及び育毛剤放出孔６３を経て、ブラシ群４６の各毛６２の先端部から外部に噴出する。このＤＣポンプ５５の駆動とともに偏心モータ５３が駆動されることにより、育毛剤供給モードが実現される。この育毛剤供給モードが実現された状態で、ブラシ群４６の先端部分を頭皮へ押し当てたり、ブラシ群４６の先端部分を頭皮へ押し当てつつブラッシングを行うことにより、頭皮に振動が与えられつつ育毛剤が供給されるので、育毛剤を頭皮の奥深くまで効果的に浸透させることができる。また、上述したように、ケーシング本体４５に対してブラシ支持体９が着脱自在に構成されているので、ブラッシングや育毛剤の供給により汚れてしまった着脱ブラシユニット４８を容易に洗浄することができる。これにより、常に清浄な状態のブラシ群４６で、ブラッシング及び上述したモードによる育毛処理を効果的に行うことができる。
【００４９】
ここで、偏心モータ５３が発生させる振動周波数、すなわち、ブラシ群４６、５０、５１を振動させる振動周波数は、第１の実施形態の偏心モータ２３と同様、８０〜１００Ｈｚの範囲内にあることが好ましく、８５〜９５Ｈｚの範囲内にあれば最適である。
【００５０】
したがって、このように構成された本実施形態のへアブラシ装置４１によれば、効果的に頭皮を清浄化できるとともに、頭髪の毛根部分（頭皮）等が清浄化されることによる効果と、頭皮が刺激されることによるマッサージ効果との相乗効果により、優れた育毛効果を得ることができる。また、ヘアブラシ装置４１によれば、汚れ物質を除去して清浄化した頭皮に対し、ブラシ群４６等の先端から振動を加えつつ育毛剤を供給できるので、頭皮の奥深くまで育毛剤を効果的に浸透させることが可能となり、これにより高い育毛効果を期待できる。
【００５１】
なお、上述した第２の実施形態のへアブラシ装置４１の例えば把持部４３の内部や、またケーシング本体４５におけるブラシ群側の筐体内に、第１の実施形態で適用されていたような放電管（オゾン管）を追加するようにしてもよい。ここで、特に把持部４３内に放電管を内蔵させる場合には、育毛剤の移送路とは別に、把持部４３内の放電管の周辺部とブラシ群４６（及び／又はブラシ群５０、５１）側とを繋ぐ、オゾン又はマイナスイオンの分子の移送路を設けることが望ましい。さらに、このような放電管を搭載した構成を採る場合には、例えば紫外線を透過させることの可能な透明材料等で上記ブラシ群４６（及び／又はブラシ群５０、５１）を形成してもよいし、また、各ブラシの基端部等からへアブラシ装置の外部へ通じる開孔を設けてもよい。
【００５２】
（第３の実施形態）
この実施形態では、本発明のトリートメント装置を、第１、第２の実施形態の装置と構造を異にする他のヘアブラシ装置に適用した場合について図８及び図９に基づきその説明を行う。
【００５３】
すなわち、この実施形態に係るヘアブラシ装置６５は、図８に示すように、第２の実施形態のへアブラシ装置４１の着脱ブラシユニット４８と異なり、装置本体からブラシ部分全体を矢印Ｙ１−Ｙ２方向に着脱可能な着脱ブラシユニット６７を備えている。着脱ブラシユニット６７は、ケーシング本体６８に設けられたブラシ着脱ボタン６９を例えば押下することで、ケーシング本体６８から取り外すことができる。これにより、ブラッシング等で汚れてしまったブラシ部分を洗浄することが可能となる。着脱ブラシユニット６７は、ブラシ群７０とこれを支持するブラシ支持体７１とで構成されている。なお、ユーザがお風呂場等でヘアブラシ装置６５を使用できるように、装置全体を例えば防水構造で構成してもよい。
【００５４】
また、ケーシング本体６８には、図８に示すように、装置本体の駆動電源の供給とブラシ群７０を振動させるブラシ振動機構を駆動するための電源／振動スイッチ７２と、育毛剤を頭皮に供給するための育毛剤供給スイッチ７３とが設けられている。ケーシング本体６８におけるブラシ群７０の植設部分と逆側の背面部分には、装置本体の駆動電源として例えば単三電池等が装着されている。ここで、電源／振動スイッチ７２が押下されると、装置本体に駆動電源が供給されるとともに、ブラシ振動機構を構成する偏心モータ（図示せず）にも電力が供給され、これにより、ブラシ群７０が振動を開始することになる。
【００５５】
さらに、へアブラシ装置６５には、例えば液状の育毛剤を収容する育毛剤カートリッジ７４が、ケーシング本体６８に対し、着脱自在に装着されている。この着脱構造は、ねじどうしの螺合であってもよいし、互いの圧入による係合であってもよい。育毛剤カートリッジ７４を採用するへアブラシ装置６５では、育毛剤の補充等が容易となりユーザにとっての利便性を高めることができる。
【００５６】
この育毛剤カートリッジ７４の外形部分は、へアブラシ装置６５本体の把持部７５として共用（兼用）される。また、図８、及び図９の断面図に示すように、ブラシ支持体７１におけるブラシ群７０の各毛７６の基端の植設部周縁には、育毛剤放出孔７７が設けられており、育毛剤供給スイッチ７３が押下されると、育毛剤カートリッジ７４内の空気圧縮された育毛剤が、育毛剤放出孔７７を通じて外部に放出される。
【００５７】
したがって、このように構成されたへアブラシ装置６５においても、第２の実施形態と同様に、汚れ除去・マッサージモード、及び育毛剤供給モードを実現できるので、効果的に頭皮を清浄化できるとともに優れた育毛効果を得ることができる。
【００５８】
なお、上述した第３の実施形態のへアブラシ装置６５の例えば把持部７５の内部や、またケーシング本体６８におけるブラシ群側の筐体内に、第１の実施形態で適用したような放電管を追加するようにしてもよい。ここで、特に把持部７５に放電管を内蔵させる場合には、育毛剤の移送路等とは別に、把持部７５内の放電管の周辺部とブラシ群７０側とを繋ぐ、オゾン又はマイナスイオンの分子の移送路を設けることが望ましい。さらに、放電管を搭載した構成を採る場合には、例えば紫外線を透過させることの可能な透明材料等で上記ブラシ群７０を形成してもよいし、またへアブラシ装置６５内から外部へ通じる育毛剤放出孔７７とは別の開孔を各ブラシの基端部周辺に設けてもよい。
【００５９】
（第４の実施形態）
この実施形態では、本発明のトリートメント装置を、第１ないし第３の実施形態の装置と構造を異にする他のヘアブラシ装置に適用した場合について図１０に基づきその説明を行う。
【００６０】
すなわち、この実施形態に係るヘアブラシ装置８１は、図１０に示すように、第３の実施形態のへアブラシ装置６５の着脱ブラシユニット６７とほぼ同様の構造の着脱ブラシユニット８２を備えている。着脱ブラシユニット８２は、ケーシング本体８３の把持部８４の近傍（ブラシ部分の植設面側）に設けられたブラシ着脱ボタン８５を例えば押下することで、ケーシング本体８３から取り外すことが可能となっている。
【００６１】
これにより、ブラシ部分の洗浄等が可能である。また、ケーシング本体８３における把持部８４の近傍の側面には、第３の実施形態の電源／振動スイッチ７２及び育毛剤供給スイッチ７３とほぼ同一の機能を有する電源／振動スイッチ８６及び育毛剤供給スイッチ８７が設けられている。また、着脱ブラシユニット８２は、頭皮における広い面積に育毛処理を施せるように、円形状に形成されたブラシ支持体８８の全面にブラシ群８９が植設されている。
【００６２】
また、へアブラシ装置８１では、例えば液状の育毛剤を収容する育毛剤カートリッジ８０が、ケーシング本体８３の内部に挿入されている。さらに、ケーシング本体８３に形成された育毛剤カートリッジ９０の挿入口には、キャップ９１が着脱自在に装着されている。このキャップ９１の着脱構造は、例えばねじ止め式の螺合構造で実現されている。ここで、育毛剤カートリッジ９０は、その容器の本体部分が、透明な材料で形成されている。さらに、ケーシング本体８３には、内部に挿入された育毛剤カートリッジ９０を外部から目視できるようにアクリル樹脂やガラス材料等で形成された残量表示窓９２が設けられている。これにより、育毛剤を頭皮へ供給しつつ育毛処理が施されている場合等に、育毛剤を補充すべきか否かをユーザが容易に把握することができる。
【００６３】
また、ブラシ支持体８８におけるブラシ群８９の各毛９３の基端の植設部周縁には、第３の実施形態の育毛剤放出孔７７とほぼ同様の育毛剤放出孔９４が設けられており、育毛剤供給スイッチ８７が押下されると、育毛剤カートリッジ９０内の空気圧縮された育毛剤が、育毛剤放出孔９４を通じて外部に噴出する。
【００６４】
したがって、このように構成されたへアブラシ装置８１においても、第２、第３の実施形態と同様に、汚れ除去・マッサージモード、及び育毛剤供給モードを実行でき、これにより、効果的に頭皮を清浄化できるとともに優れた育毛効果を得ることができる。
【００６５】
なお、第４の実施形態のへアブラシ装置８１の例えば把持部８４の内部や、またケーシング本体８３におけるブラシ群側の筐体内に、第１の実施形態で適用したような放電管を追加するようにしてもよい。ここで、特に把持部８４に放電管を内蔵させる場合には、育毛剤の移送路等とは別に、把持部８４内の放電管の周辺部とブラシ群８９側とを繋ぐ、オゾン又はマイナスイオンの分子の移送路を設けることが望ましい。さらに、放電管を搭載した構成を採る場合には、例えば紫外線を透過させることの可能な透明材料等で上記ブラシ群８９を形成してもよいし、またへアブラシ装置８１内から外部へ通じる育毛剤放出孔９４とは別の開孔を各ブラシの基端部周辺に設けてもよい。なお、第１ないし第４の実施形態では、本発明をヘアブラシに適用した場合について説明したが、頭髪の育毛用ブラシとしてのみならず、例えば腕、脚等にトリートメントを施す美肌用のボディブラシ等に本発明を適用すること等も可能である。
【００６６】
（第５の実施形態）
この実施形態では、本発明のトリートメント装置をマッサージ装置として適用した場合について図１１ないし図１５を参照しつつその説明を行う。ここで、図１１は、本実施形態に係るマッサージ装置の操作態様を示す斜視図、図１２は、このマッサージ装置が折り畳まれた可搬態様を示す斜視図、図１３は、このマッサージ装置の分解斜視図、図１１のマッサージ装置が備える接触子ユニット及び接触子ホルダを示す分解斜視図、図１５は、このマッサージ装置の制御系を示す機能ブロック図である。なお、第１の実施形態で説明したヘアブラシ装置１の構成部材とほぼ同一の機能を有する部材については、同一の符号を付与しその説明を省略する。
【００６７】
すなわち、この実施形態に係るマッサージ装置１０１は、図１１ないし図１５に示すように、第１の実施形態のへアブラシ装置１とほぼ同様の構造で構成されており、へアブラシ装置１の着脱ブラシユニット１２に代えて、後述する接触子ユニット１１２を備えている。
【００６８】
また、マッサージ装置１０１には、折畳機構３に代えて折畳機構１２９が設けられている。折畳機構１２９も、軸受孔１８、１３０や支持ピン１９等で実現されるヒンジ機構によって構成されている。この折畳機構１２９により、マッサージ装置１０１本体を折り畳んだかたちの可搬態様（折畳状態）と、第２ケーシング６をユーザが把持しつつマッサージを行える操作態様（非折畳状態）とに、当該マッサージ装置１０１の姿勢を変形させることができる。ここで、上記軸受孔１３０内には、板ばねとしてのヒンジばね１２３、１２４が内蔵されている。このヒンジばね１２３、１２４は、自身の付勢力によりクリック感を持たせるかたちで可搬態様、若しくは操作態様のいずかの姿勢でマッサージ装置１０１（第２ケーシング６に対し第１ケーシング５）をロックさせることができる。ロック機構を内蔵する軸受孔１８、１３０は、外側端部の開口部分がヒンジカバー１３１、１３２によって閉塞されている。
【００６９】
さらに、着脱自在な電池蓋１１を取り外した第２ケーシング６の電池装着部１２６内には、装置本体の駆動電源である充電池１２２が端子部１２７に接触するかたちで装着されている。
【００７０】
接触子ユニット１１２は、複数、例えば１２本の接触子１０８が、接触子支持部（接触子支持体）１０９上に一体的に突設されて構成されている。また、接触子ユニット１１２は、第１ケーシング５に固定される接触子ホルダ１３３に対して着脱自在に構成されている。すなわち、図１３に示すように、接触子支持部１０９の背面部（装着時に第１ケーシング５と対向する部位）には、例えば６個の爪部１１４が突設されており、この爪部１１４は、接触子ホルダ１３３上の対応する６箇所の位置に設けられた係合穴１１６とそれぞれ係合する。なお、放電管２５を放電させる高電圧発生回路３２は、接触子ホルダ１３３と第１ケーシング５との間に介在された例えば基板１２５上に搭載されている。
【００７１】
上述した爪部１１４及び係合穴１１６は、接触子ホルダ１３３が固定されたケーシング本体７（第１ケーシング５）に対し、接触子ユニット１１２を着脱自在に接続する着脱機構として機能する。また、これにより、接触子１０８は、ケーシング本体７に突設される。
【００７２】
上記各接触子１０８は、図１４に示すように、先端に球面部を設けて円柱状に形成されている。先端の球面部は、手足や肩、腰等のボディ部分を押圧する部位として設けられている。接触子１０８の球面部を除く部位の最小径は、少なくとも５ｍｍ以上の寸法で形成されている。本実施形態の接触子１０８は、接触子支持部１０９側の基端部が、例えば直径７ｍｍ程度で形成され、先端側の球面部との境界部分が最小径であり、ほぼ５．６ｍｍ程度の直径で形成されている。つまり、接触子１０８は、球面部の曲率半径が例えば２．８ｍｍ程度であり、基端部から先端部に向けて僅かに先細りの円柱形状に成形されている。
【００７３】
また、接触子１０８は、透光性を有する材料である、例えば無色透明なポリカーボネート樹脂やアクリル樹脂等で成形されている。さらに、接触子１０８には、接触子支持部１０９側（基端部側）に開口部を有し、且つ当該接触子の基端部側から先端部側に向けて非貫通の導光孔１３５が各々穿孔されている。さらに、接触子ホルダ１３３には、当該ホルダを貫通する導光孔１３４がこれら導光孔１３５と同軸的にそれぞれ形成されている。ここで、接触子ホルダ１３３上おいて、接触子ユニット１１２の取付位置と逆側（第１ケーシング５側）の導光孔１３４の開口面の近接位置には（図１４、図１５参照）、例えば青色の可視光を発光する動作報知用ＬＥＤ１０６が設けられている。
【００７４】
すなわち、この動作報知用ＬＥＤ１０６は、放電管２５の放電動作に連動して接触子１０８の基端部側で可視光を発光する光源として設けられており、自身が発光する青色光は、導光孔１３４、１３５を通じて導光されつつ接触子１０８の内部から外側に向けて放光される。これにより、放電管２５を放電していること、つまり接触子１０８の周辺にマイナスイオン及びオゾンが供給されていることをユーザが視覚的に把握しつつトリートメントを行うことができる。
【００７５】
さらに、マッサージ装置１０１に内蔵された制御系１０２について、主に図１５に基づき説明を加えておく。
図１５に加え、図１１や図１３にも示すように、マッサージ装置１０１における折畳機構１２９の近傍の第２ケーシング６上には、装置本体の駆動電源をＯＮ／ＯＦＦや、電源ＯＮの際に、放電管２５の放電／非放電を切替えるスライドスイッチ１２８が設けられている。さらに、制御系１０２には、偏心モータ２３及びこの偏心モータ２３を駆動制御するモータ駆動回路３０を備えた接触子振動機構１０３と、放電管２５及びこの放電管２５に高電圧を印加する高電圧発生回路３２を備える美肌機構１０４と、制御部２９の制御下で放電管２５の放電動作に連動して動作報知用ＬＥＤ１０６を発光させるＬＥＤ駆動回路１０５等とが設けられている。
【００７６】
したがって、このように構成された本実施形態のマッサージ装置１０１では、振動が付与され且つマイナスイオンが周辺に供給される接触子１０８先端の球面部を、筋肉疲労等が生じている手足や肩、腰等に押圧することで、この身体部分にマイナスイオンが浸透することによる細胞組織の活性化作用と、この筋肉疲労部分等が振動で刺激されることによるマッサージ効果との相乗効果により、例えば肩こりや筋肉痛等を効果的に取り除くことができる。
【００７７】
さらに、マッサージ装置１０１では、痩身効果のあるツボに接触子１０８を押当てることで、痩身装置等としての用途で利用することも可能である。また、本実施形態のマッサージ装置１０１によれば、接触子１０８を、美肌対象の手足、首筋、顔等に接触させることで、振動により肌面内部からたたき出した汚れ物質を接触子の周辺に生成されたオゾンの殺菌作用によって分解し、これにより得られる肌面の清浄化作用と、肌面を振動によりマッサージすることによる血行の促進作用等との相乗効果により、好適な美肌トリートメントを施すことができる。
【００７８】
以上、本発明を各実施の形態により具体的に説明したが、本発明はこれらの実施形態にのみ限定されるものではなく、その要旨を逸脱しない範囲で種々変更可能である。例えば、上記第１ないし第５の各実施形態において、ブラシや接触子の先端部分に、織布や不織布等で形成された布体を保持させる機構を追加することにより、振動効果により頭皮や身体の肌面内部からたたき出された汚れ物質をこの布体に吸着させ、皮膚面の清浄効果を高めるようにしてもよい。
【００７９】
【発明の効果】
以上説明したように、本発明によれば、頭皮及び頭髪における高い清浄化作用や優れた育毛効果を期待できるとともに、ボディ用のマッサージ機能をも効果的に得ることができるトリートメント装置を提供することができる。
【図面の簡単な説明】
【図１】本発明の第１の実施形態に係るへアブラシ装置の操作態様を示す斜視図である。
【図２】図１のへアブラシ装置の可搬態様を示す斜視図である。
【図３】図１に示すへアブラシ装置の分解斜視図である。
【図４】図１のヘアブラシ装置の制御系を示す機能ブロック図である。
【図５】本発明の第２の実施形態に係るへアブラシ装置を示す斜視図である。
【図６】図５に示すへアブラシ装置の分解斜視図である。
【図７】図５のへアブラシ装置に設けられた育毛剤の供給機構の構造の一部を示す断面図である。
【図８】本発明の第３の実施形態に係るへアブラシ装置を示す斜視図である。
【図９】図８のへアブラシ装置に設けられた育毛剤の供給機構の構造の一部を示す断面図である。
【図１０】本発明の第４の実施形態に係るへアブラシ装置を示す斜視図である。
【図１１】本発明の第５の実施形態に係るマッサージ装置の操作態様を示す斜視図である。
【図１２】図１１のマッサージ装置の可搬態様を示す斜視図である。
【図１３】図１１に示すマッサージ装置の分解斜視図である。
【図１４】図１１のマッサージ装置が備える接触子ユニット及び接触子ホルダを示す分解斜視図である。
【図１５】図１１のマッサージ装置の制御系を示す機能ブロック図である。
【符号の説明】
１，４１，６５，８１…へアブラシ装置、２，４２…筐体、３，１２９…折畳機構、５…第１ケーシング、６…第２ケーシング、７，４５，６８，８３…ケーシング本体、８，４６，５０，５１，７０，８９…ブラシ群、９，４７，７１，８８…ブラシ支持体、１２，４８，６７，８２…着脱ブラシユニット、１４，１５，１１４…爪部、１６，１７，１１６…係合穴、１８，１３０…軸受孔、１９…支持ピン、２０…係合突起、２１…係止部、２３…偏心モータ、２５…放電管、２９…制御部、３０…モータ駆動回路、３１…ブラシ振動機構、３２…高電圧発生回路、３３…毛髪活性化機構、３４…発振回路、３５…昇電圧回路、６２，７６，９３…ブラシ群の毛、１０１…マッサージ装置、１０３…接触子振動機構、１０４…美肌機構、１０６…動作報知用ＬＥＤ、１０８…接触子、１０９…接触子支持部、１１２…接触子ユニット、１３３…接触子ホルダ、１３４，１３５…導光孔。
【図１】
2005046190.tif 000003
【図２】
2005046190.tif 000004
【図３】
2005046190.tif 000005
【図４】
2005046190.tif 000006
【図５】
2005046190.tif 000007
【図６】
2005046190.tif 000008
【図７】
2005046190.tif 000009
【図８】
2005046190.tif 000010
【図９】
2005046190.tif 000011
【図１０】
2005046190.tif 000012
【図１１】
2005046190.tif 000013
【図１２】
2005046190.tif 000014
【図１３】
2005046190.tif 000015
【図１４】
2005046190.tif 000016
【図１５】
2005046190.tif 000017